【手続補正書】
【提出日】平成26年4月28日(2014.4.28)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出表示する可変表示手段に識別情報の表示結果として予め定められた特定表示結果が導出表示されたときに、遊技者にとって有利な特定遊技状態に制御する遊技機であって、
識別情報の可変表示の表示結果を導出表示する前に、前記特定遊技状態に制御するか否かを事前決定する事前決定手段と、
前記事前決定手段の決定結果に基づいて、前記可変表示手段における識別情報の可変表示パターンを決定する可変表示パターン決定手段と、
前記可変表示パターン決定手段の決定結果に基づいて識別情報の可変表示を実行する可変表示実行手段と、
前記可変表示手段においてリーチ状態に制御するリーチ状態制御手段と、
前記可変表示パターン決定手段により前記可変表示手段において識別情報の可変表示が開始されてから表示結果を導出表示する以前に仮停止表示させてから可変表示を再開する再可変表示パターンに決定されたことにもとづいて再可変表示を実行する手段であって、前記可変表示パターン決定手段により一旦前記リーチ状態に制御させた後に可変表示を再開するリーチ後再可変表示パターンに決定されたことにもとづいてリーチ後再可変表示を実行する再可変表示実行手段と、
前記再可変表示パターンにおける複数回の可変表示に亘って連続した予告演出を実行する予告演出実行手段と、
前記リーチ状態制御手段により一旦前記リーチ状態に制御させた後、前記再可変表示実行手段により前記リーチ後再可変表示が実行されるか否かに関わらず、前記再可変表示実行手段による前記リーチ後再可変表示が実行される可能性を報知する再可変表示報知演出を実行する再可変表示報知演出実行手段と、
を備え、
前記予告演出には、第１演出態様と、該第１演出態様よりも前記特定表示結果となる割合が高い第２演出態様と、該第２演出態様よりも前記特定表示結果となる割合が高い第３演出態様と、を含む複数種類の演出態様の演出が含まれ、
前記複数種類の演出態様の演出には、それぞれ第１段階から第２段階までの演出が少なくとも含まれ、
前記予告演出は、
前記複数回の可変表示における第１可変表示で前記複数種類の演出態様のうちの所定の演出態様の第１段階の演出を実行し、前記第１可変表示の次に実行される第２可変表示で前記所定の演出態様の第２段階の演出を実行する第１パターンと、
前記複数回の可変表示における前記第１可変表示で前記第１演出態様の第１段階の演出を実行し、前記第２可変表示で一旦前記第１演出態様の第２段階の演出を実行してから前記第２演出態様の第２段階の演出を実行する特別第１パターンと、
前記複数回の可変表示における前記第１可変表示で前記第２演出態様の第１段階の演出を実行し、前記第２可変表示で一旦前記第２演出態様の第２段階の演出を実行してから前記第３演出態様の第２段階の演出を実行する特別第２パターンと、を含み、
前記予告演出実行手段は、前記複数回の可変表示における前記第１可変表示で前記第１演出態様の演出を実行したときの方が前記第１可変表示で前記第２演出態様の演出を実行したときよりも高い割合で前記第２可変表示において前記第１可変表示で実行された演出態様とは異なる演出態様の演出を実行する、
ことを特徴とする遊技機。
【請求項２】
前記再可変表示が実行されることを予告する再可変表示予告演出を実行する再可変表示予告演出実行手段
をさらに備えることを特徴とする請求項１に記載の遊技機。
【手続補正２】
【補正対象書類名】明細書
【補正対象項目名】０００７
【補正方法】変更
【補正の内容】
【０００７】
（１）上記目的を達成するため、本発明の第１の観点に係る遊技機は、
各々を識別可能な複数種類の識別情報の可変表示を行い表示結果を導出表示する可変表示手段（例えば第１、第２特別図柄表示装置４Ａ、４Ｂや画像表示装置５など）に識別情報の表示結果として予め定められた特定表示結果（例えば大当り図柄となる特別図柄や大当り組合せの確定飾り図柄など）が導出表示されたときに、遊技者にとって有利な特定遊技状態（例えば大当り遊技状態など）に制御する遊技機（例えばパチンコ遊技機１）であって、
識別情報の可変表示の表示結果を導出表示する前に、前記特定遊技状態に制御するか否かを事前決定する事前決定手段（例えばステップＳ２４０の処理を実行するＣＰＵ１０３など）と、
前記事前決定手段の決定結果に基づいて、前記可変表示手段における識別情報の可変表示パターンを決定する可変表示パターン決定手段（例えばステップＳ２７２の処理を実行するＣＰＵ１０３など）と、
前記可変表示パターン決定手段の決定結果に基づいて識別情報の可変表示を実行する可変表示実行手段（例えばステップＳ２７４の処理を実行した後、ステップＳ１１２、Ｓ１１３の処理を実行するＣＰＵ１０３など）と、
前記可変表示手段においてリーチ状態に制御するリーチ状態制御手段と、
前記可変表示パターン決定手段により前記可変表示手段において識別情報の可変表示が開始されてから表示結果を導出表示する以前に仮停止表示させてから可変表示を再開する再可変表示パターンに決定されたことにもとづいて再可変表示を実行する手段であって、前記可変表示パターン決定手段により一旦前記リーチ状態に制御させた後に可変表示を再開するリーチ後再可変表示パターンに決定されたことにもとづいてリーチ後再可変表示を実行する再可変表示実行手段（例えばステップＳ２７２の処理に基づいてステップＳ１７２の処理を実行する演出制御用ＣＰＵ１２０など）と、
前記再可変表示パターンにおける複数回の可変表示に亘って連続した予告演出を実行する予告演出実行手段（例えばステップＳ４５３の処理を実行する演出制御用ＣＰＵ１２０など）と、
前記リーチ状態制御手段により一旦前記リーチ状態に制御させた後、前記再可変表示実行手段により前記リーチ後再可変表示が実行されるか否かに関わらず、前記再可変表示実行手段による前記リーチ後再可変表示が実行される可能性を報知する再可変表示報知演出を実行する再可変表示報知演出実行手段（例えばステップＳ５３１の処理を実行する演出制御用ＣＰＵ１２０など）と、
を備え、
前記予告演出には、第１演出態様と、該第１演出態様よりも前記特定表示結果となる割合が高い第２演出態様と、該第２演出態様よりも前記特定表示結果となる割合が高い第３演出態様と、を含む複数種類の演出態様の演出（例えば図１８におけるパターン１〜パターン３など）が含まれ、
前記複数種類の演出態様の演出には、それぞれ第１段階から第２段階までの演出（例えば図１８における第１段階から第４段階のキャラクタ画像など）が少なくとも含まれ、
前記予告演出は、
前記複数回の可変表示における第１可変表示で前記複数種類の演出態様のうちの所定の演出態様の第１段階の演出を実行し、前記第１可変表示の次に実行される第２可変表示で前記所定の演出態様の第２段階の演出を実行する第１パターン（例えば図１８に示すパターン１〜パターン３など）と、
前記複数回の可変表示における前記第１可変表示で前記第１演出態様の第１段階の演出を実行し、前記第２可変表示で一旦前記第１演出態様の第２段階の演出を実行してから前記第２演出態様の第２段階の演出を実行する特別第１パターン（例えば図２０に示す特別第１パターンなど）と、
前記複数回の可変表示における前記第１可変表示で前記第２演出態様の第１段階の演出を実行し、前記第２可変表示で一旦前記第２演出態様の第２段階の演出を実行してから前記第３演出態様の第２段階の演出を実行する特別第２パターン（例えば図２１に示す特別第２パターンなど）と、を含み、
前記予告演出実行手段は、前記複数回の可変表示における前記第１可変表示で前記第１演出態様の演出を実行したときの方が前記第１可変表示で前記第２演出態様の演出を実行したときよりも高い割合で前記第２可変表示において前記第１可変表示で実行された演出態様とは異なる演出態様の演出を実行する（例えば図１７に示す決定割合に従ってステップ５６６にて擬似連時予告演出パターンを決定するなど）、
ことを特徴とする。
【手続補正３】
【補正対象書類名】明細書
【補正対象項目名】０００８
【補正方法】変更
【補正の内容】
【０００８】
このような構成によれば、例えば特別第１パターンとして、第１可変表示で第１演出態様の第１段階の演出を実行し、第２可変表示で一旦第１演出態様の第２段階の演出を実行してから第２演出態様の第２段階の演出を実行する。また、例えば特別第２パターンとして、第１可変表示で第２演出態様の第１段階の演出を実行し、第２可変表示で一旦第２演出態様の第２段階の演出を実行してから第３演出態様の第２段階の演出を実行する。これにより、遊技者に期待度が向上したことを明確に報知することができる。加えて、第２可変表示において異なる演出態様の演出が実行される割合は、第１可変表示で実行された演出が第１演出態様である方が第２演出態様であるときよりも高くなる。こうして、期待度の低い予告演出が開始された場合であってもその後に期待を持たせることができる。
【手続補正４】
【補正対象書類名】明細書
【補正対象項目名】００１３
【補正方法】変更
【補正の内容】
【００１３】
（４）上記（１）から（３）の遊技機において、
前記予告演出実行手段は、前記特別第１パターンの予告演出を実行した場合において、前記第２可変表示の後の可変表示においても、実行された演出態様とは異なる演出態様の演出を実行可能であり、前記異なる演出態様の演出を実行する場合には、前記異なる演出態様の演出を実行する前の演出態様よりも前記特定表示結果となる割合または前記有利な権利が付与される割合が高い演出態様の演出を実行する（例えば図２７および図２８に示すように、２回目の変動に加えて３回目の変動においてもキャラクタ属性を変更するなど）
ようにしてもよい。
【手続補正５】
【補正対象書類名】明細書
【補正対象項目名】００１４
【補正方法】変更
【補正の内容】
【００１４】
このような構成によれば、２回目の可変表示以降において異なる演出態様の演出が実行される場合、特定表示結果となる割合または有利な権利が付与される割合が高い演出態様の演出が実行されるため、遊技興趣を向上させることができる。
【手続補正６】
【補正対象書類名】明細書
【補正対象項目名】００１５
【補正方法】変更
【補正の内容】
【００１５】
（５）上記（１）から（４）のいずれかの遊技機において、
前記第２可変表示において、前記特別第１パターンにおける第２演出態様の演出が実行されたときの方が、前記第１パターンにおける第２演出態様の演出が実行されたときよりも前記特定表示結果となる割合又は前記有利な権利が付与される割合が高くなるように、前記予告演出を決定する予告演出決定手段（例えば図１７に示す擬似連時予告演出パターン決定テーブルに従って擬似連時予告演出パターンを決定する演出制御用ＣＰＵ１２０など）をさらに備える
ようにしてもよい。
【手続補正７】
【補正対象書類名】明細書
【補正対象項目名】００１６
【補正方法】変更
【補正の内容】
【００１６】
このような構成によれば、予告演出において特定表示結果となる割合または有利な権利が付与される割合が低い演出態様の演出が実行された場合でも、その後の展開に注目させることができる。